(57)【要約】      （修正有）【課題】簡単な構成で安価且つ適確に給油作業を自動的に行うことのできるグリース自動給油装置を提供する。【解決手段】一定長の管状をなした片端にノズル口を備え、他端側から市販のグリースバッグを挿入すると共に、上記ノズル口に向かってスプリングを介してグリースバッグ内のグリースを上記ノズル口に向けて押圧する如くなしたグリースバッグ収納管体２、該グリースバッグ収納管体の上記ノズル口を脱着自在に止着し、且つノズル口からの吐出グリースを一時的に貯留すると共に、該貯留グリースを他の給油箇所へ向けて吐出させる吐出口とそのための押圧ピストン１０を備えてなる管体受け、及び上記管体受けの押圧ピストンを適当圧で摺動移動させるための機械的手段並びに該機械的手段を適宜必要時間に定期的作動させるためのシーケンス自動制御手段とからなることを特徴とする。【選択図】図２
0003105473.tif 000002
【実用新案登録請求の範囲】
【請求項１】
一定長の管状をなした片端にノズル口を備え、他端側から市販のグリースバッグを挿入すると共に、上記ノズル口に向かってスプリングを介してグリースバッグ内のグリースを上記ノズル口に向けて押圧する如くなしたグリースバッグ収納管体、該グリースバッグ収納管体の上記ノズル口を脱着自在に止着し、且つノズル口からの吐出グリースを一時的に貯留すると共に、該貯留グリースを他の給油箇所へ向けて吐出させる吐出口とそのための押圧ピストンを備えてなる管体受け、及び上記管体受けの押圧ピストンを適当圧で摺動移動させるための機械的手段並びに該機械的手段を適宜必要時間に定期的作動させるためのシーケンス自動制御手段とからなることを特徴としたグリース自動給油装置。
【請求項２】
機械的手段はレバーを揺動させ、該揺動するレバーの一端に上記管体受け内へ挿入される押圧ピストンの片端を取付け、且つ上記挺子の他端にはアーマチュアを常時はスプリング作用でソレノイドの勵磁外へ位置されるものとなし、ソレノイドが勵磁されると上記押圧ピストンがスプリングに抗して牽引され、管体受け内のグリースをその吐出口へ向けて一定圧で押圧吐出される構成であることを特徴とする請求項１記載のグリース自動給油装置。
【考案の詳細な説明】
【技術分野】
【０００１】
本考案は、回転機構や直線移動機構など各種工業用機械装置及び器具の回転部（玉軸受、鉤金メタル軸受等）及び摺動部等へ給油するグリース給油装置に関する。
【背景技術】
【０００２】
従来、工業用機械器具の回転部及び駆動部へのグリース給油作業には、図１に示す如き手動式のグリース注入器が通常一般的に使用されている。
【特許文献１】特開平７−４２８９５号
【考案の開示】
【考案が解決しようとする課題】
【０００３】
上記に示したグリース注入器は専ら手作業により行われるもので、そのため一定時間や一定期間毎に給油作業を行う必要があり、その都度作業員の労作が必要となる。
【０００４】
また、作業員によるグリースの給油作業では夫々れ個人差があるため、作業に於いて給油量に誤差が生じ、常に一定量の給油を持続させることは困難なものとなる。また、不定量のグリース給油を長期間に亘り持続すると工作機械器具の回転部や駆動部に油漏れや発熱が生じて故障の原因にもなり得る。上記作業を自動的に行うための幾つかの装置の提供もあるが、構成が複雑であり且つコスト高である。
【０００５】
そこで、本考案は上記問題点に鑑み、簡単な構成で安価且つ適確に給油作業を自動的に行うことのできるグリース自動給油装置を提供せんとするものである。
【課題を解決するための手段】
【０００６】
上記課題を解決するため本考案は、一定長の管状をなした片端にノズル口を備え、他端側から市販のグリースバッグを挿入すると共に、上記ノズル口に向かってスプリングを介してグリースバッグ内のグリースを上記ノズル口に向けて押圧する如くなしたグリースバッグ収納管体、該グリースバッグ収納管体の上記ノズル口を脱着自在に止着し、且つノズル口からの吐出グリースを一時的に貯留すると共に、該貯留グリースを他の給油箇所へ向けて吐出させる吐出口とそのための押圧ピストンを備えてなる管体受け、及び上記管体受けの押圧ピストンを適当圧で摺動移動させるための機械的手段並びに該機械的手段を適宜必要時間に定期的作動させるためのシーケンス自動制御手段とからなることを特徴とする。
【０００７】
このさい、機械的手段はレバーを揺動させ、該揺動するレバーの一端に上記管体受け内へ挿入される押圧ピストンの片端を取付け、且つ上記挺子の他端にはアーマチュアを常時はスプリング作用でソレノイドの勵磁外へ位置されるものとなし、ソレノイドが勵磁されると上記押圧ピストンがスプリングに抗して牽引され、管体受け内のグリースをその吐出口へ向けて一定押で押圧吐出される構成とする。
【考案の効果】
【０００８】
上記した如き本考案によれば、構成が簡便且つ堅牽であり、而して予め定めた一定時期に適宜必要な一定量のグリースを各種工業用機械装置及び器具などの回転部及び摺動部等に対し、自動的且つ確実に給油することのできるものとなる。
【０００９】
本考案装置は凡そ月単位或いは半年や１年などの如く経験的に定められる比較的長い一定時期にグリースバッグ収納管体内のグリースバッグを新しいものに取り替えるだけで良く、晝夜を問わず無休運転される工業用機械装置や器具などに対し、常時適確な給油が効率良く可能となる上で、生産性向上に寄与すること大ならしめるものとなる。
【考案を実施するための最良の形態】
【００１０】
図２は、本考案装置の組立斜視図である。１は台板であって、該台板１の片端に一定長の管状をなして内部に市販のグリースバッグを収納してなるグリースバッグ収納管体２及び、該グリースバッグ収納管体２を雌雄ネジ手段ｍなどで適宜脱着自在に止着させる構成の管体受け３が取付けてあり、この具体的な構成は図３に示す通りである。
【００１１】
図３は図２のＸ−Ｘ線断面図であり、該図で見られる通りグリースバッグ収納管体２はキャップ２ａと本体２ｂに二分される構成であって、キャップ２ａを取外した状態で本体２ｂ内へ市販のグリースバッグ４の口栓を取外して挿入するのであり、このさいキャップ２ａには上記本体２ｂ内のグリースバッグ４を押圧可能にするためのスプリング５を収納する構成となされ、これと反対する本体２ｂの他端側にはグリースバッグ４の吐出口４ａを支承するノズル口６が設けられたものとなされる。なお、図面で７はスプリング５の弾圧作用が平均的にグリースバッグ４に作用するようになすための押圧板、８は上記グリースバッグ４の取出し交換時にスプリング５の弾圧作用を逆方向に引張って一時的な不作用状態を可能にするための鎖りであり、該鎖り８はキャップ２ａに穿設した透孔９を介して外方へ引き出されるものとなっている。
【００１２】
管体受け３は上記グリースバッグ４がスプリング５で弾圧されることにより、ノズル口６から吐出されるグリースｐの一定量を常時貯留するための窩室３ａが形成されてなり、また該窩室３ａ内には次述構成の押圧ピストン１０が摺動するものとなされ、且つその押圧ピストン１０の摺動する前方には窩室３ａ内のグリースｐを外方へ吐出させるための吐出口３ｂが設けたものとなされている。なお、図面で１１は吐出口３ｂの先端に脱着自在に取付けた分配接手であって、吐出口３ｂからのグリースｐを適宜必要な給油箇所へ送出するための分配管１２ａ及び１２ｂが取付けられるものとなされる。図示例の分配管１２ａ及び１２ｂは左右方向へ分かれて送油される状態を示している。
【００１３】
上記押圧ピストン１０の窩室３ａ内に於ける摺動は機械的手段として揺動するレバー１２を介して行われるのである。即ち、図面で１３はレバー１２の揺動支点であって、該レバー１２の片端には上記押圧ピストン１０の外端が自由接手１４を介して取付けられる。而して且つ他端はスプリング１５を係止ピン１６の使用で常時は矢印（イ）方向へ牽引されているようになされており、該牽引方向は上記押圧ピストン１０が窩室３ａ内で吐出口３ｂから外れて後退される方向である。一方、該スプリング１５の係止される反対面側にはアーマチュア１７が取付けてあり、且つ該アーマチュア１７の前方にはこれを取り囲む状態にソレノイド１８が配置させてある。而して、上記スプリング１５の牽引状態下ではアーマチュア１７がソレノイド１８の磁界外へ少しずれる状態の関係位置に配置されるのである。
【００１４】
１９及び２０は上記レバー１２を挟む台板１上の他端側で、上記ソレノイド１８を適宜必要な時期に一定時間勵磁させることにより、上記アーマチュア１７をスプリング１５に抗して矢印（ロ）方向へ牽引し、このときレバー１２が揺動されることにより前記押圧ピストン１０を窩室３ａ内で吐出口３ｂの方へ摺動させ、窩室３ａ内の貯留グリースｐの一定量を分配接手１１内へ瞬時的に押出さしめるようになすためのタイマー及び制御手段である。このさい、該制御手段２０は短いものでは１日単位の２４時間内の一定時間帯で、長いものでは１ヶ月や半年或いは１年単位などを区切りとする一定時間帯で、随時異なる作業や使用状態に応じ、適宜変更可能とするシーケンス回路に組み込んで一旦設定後は無人で自動的に定期作動されるものとなすのである。
【００１５】
図４は、図３を平面視した窩室３ａに於ける押圧ピストン１０の作用説明図であって、Ａはソレノイドが作動して揺動レバー１２が矢印（ロ）方向に牽引されるとき、押圧ピストン１０が窩室３ａ内のグリースｐをそのストローク長に相当する一定量で、吐出口３ｂから分配管１２ａ，１２ｂに向かって強圧状態下に押し出さしめる説明図、同Ｂはその不作動時の状態図を示す。なお、図面で２１は押圧ピストン１０と窩室３ａの摺動面に設けたシール部材である。
【００１６】
上記実施例ではグリースバッグ収納管体２を立設させたものを示したが、台板１上へ横置状態に設けるようにすることができる。このようにしたものでは装置全体がコンパクトな構成となって持運びの簡便なことは勿論のこと、設置のさいに大きな場所を必要としないで使用勝手が良いものとなる。
【００１７】
本考案装置はシンプルな構成で安価に製作可能である。而して、ソレノイドが勵磁されて押圧ピストンが作動する時は、一時的な弾撥音が発声するものとなるが、全体を箱内へ収納させた状態下では上記弾撥音が消音されるものとなる。ところで、この音を適宜キャッチすることによりランプを点滅させたり、或いは電気信号で入力させたりして装置の正常運転状態の検証を同時且つ簡便に管理所その他で行うようにすることができる。
【図面の簡単な説明】
【００１８】
【図１】従来の手動式のグリース注入器である。
【図２】本考案装置の組立斜視図である。
【図３】図２のＸ−Ｘ線切断断面図である。
【図４】Ａ，Ｂは押圧ピストンの摺動状態を示す平面視の作用説明図である。
【符号の説明】
【００１９】
１      台板
２      グリースバッグ収納管体
３      管体受け
４      グリースバッグ
５      スプリング
６      ノズル口
７      押圧板
８      鎖り
９      透孔
１０    押圧ピストン
１１    分配接手
１２    レバー
１３    揺動支点
１４    自由接手
１５    スプリング
１６    係止ピン
１７    アーマチュア
１８    ソレノイド
１９    タイマー
２０    制御手段
【図１】
0003105473.tif 000003
【図２】
0003105473.tif 000004
【図３】
0003105473.tif 000005
【図４】
0003105473.tif 000006